(57)【要約】      （修正有）【課題】半田付け作業工程等の削減を図ることが可能なリード線と配線を接続するための端子金具等を提供する。【解決手段】端子金具７０は、リード線９１が接続されるリード線接続部と、配線９０が接続される配線接続部と、を有する接続部７１を備えている。特に、接続部７１において、リード線接続部と配線接続部とは相互に近接する位置に設けられている。これにより、リード線９１と配線９０とを相互に近接させた状態で、その両者を夫々リード線接続部及び配線接続部に絡げることができ、その両者に対して半田付け作業を同時に行うことができる。即ち、１度の半田付け作業により、リード線と配線とを導電接続することができる。よって、半田付け作業工程を削減することができ、工数削減を図ることができる。【選択図】図１
2008016276.tif 000002
【特許請求の範囲】
【請求項１】
リード線が接続されるリード線接続部と、配線が接続される配線接続部と、を有する接続部を備え、
前記接続部において、前記リード線接続部と前記配線接続部とは相互に近接する位置に設けられていることを特徴とする端子金具。
【請求項２】
略Ｌ字状の形状に形成され、一端側は前記接続部であると共に、他端側は取付部に取り付けられる被取付部であり、
前記接続部は、二股状に分岐した形状を有し、前記リード線及び前記配線の各々が絡げられる一対の絡げ部を有し、
前記配線接続部は、前記一対の絡げ部と、前記一対の絡げ部の間に設けられ、前記配線が挿入されるスリットと、を有し、
前記リード線接続部は、前記一対の絡げ部と、前記一対の絡げ部の間に且つ前記スリットに隣接する位置に設けられた他のスリットと、を有することを特徴とする請求項１に記載の端子金具。
【請求項３】
前記他のスリットは、第１のスリット及び第２のスリットを有し、
前記第１のスリット及び前記第２のスリットは、前記接続部の幅方向に且つ前記スリットの両側に繋がる位置に設けられていることを特徴とする請求項２に記載の端子金具。
【請求項４】
前記リード線接続部は、前記接続部の幅方向の中心を通る仮想直線に対して対称的な形状を有することを特徴とする請求項１乃至３のいずれか一項に記載の端子金具。
【請求項５】
前記被取付部は、前記取付部に設けられる爪部と嵌合したときに前記取付部に対して前記被取付部の移動を規制する移動規制用スリットを有し、前記被取付部の幅方向の中心を通る他の仮想直線に対して対称的な形状を有することを特徴とする請求項２乃至４のいずれか一項に記載の端子金具。
【請求項６】
請求項１乃至５のいずれか一項に記載の端子金具と、
スピーカー装置用の前記取付部、前記リード線及び前記配線と、を備え、
前記端子金具は前記取付部に取り付けられ、前記リード線は前記リード線接続部に電気的に接続されていると共に、前記配線は前記配線接続部に電気的に接続されていることを特徴とするスピーカー装置。
【発明の詳細な説明】
【技術分野】
【０００１】
本発明は、リード線と配線とを接続するための端子金具の構造に関する。
【背景技術】
【０００２】
一般的に、リード線と、配線（例えば、導線と当該導線を被覆する被覆材とからなるものなど；以下同様の意味で用いる）とを接続する端子金具（端子ラグ）は、その一端側にリード線を挿入して端子金具の部分に絡げるためのリード線絡げ用のスリットを有する一方、その他端側に配線の端末部分を挿入して端子金具の部分に絡げるための配線絡げ用のスリットを有する。
【０００３】
このような構造を有する端子金具に対して、リード線及び配線を導電接続するためには、リード線をリード線絡げ用のスリットに挿入して端子金具の部分に絡げ、その箇所を半田付けすると共に、配線の端末部分を配線絡げ用のスリットに挿入して端子金具の部分に、その箇所を半田付けすることにより、端子金具を介してリード線と配線とを導電接続する。
【０００４】
なお、特許文献１には、スピーカーの正極側接続線と負極側接続線をそれぞれ接続端子に片手で簡単に接続でき、迅速で確実に接続できて、スプリングを必要とせずにコストダウンを図ることが可能なスピーカーの接続線の接続構造が提案されている。
【０００５】
【特許文献１】特開２００５−１３５６７５号公報
【発明の開示】
【発明が解決しようとする課題】
【０００６】
しかしながら、上記した一般的な端子金具の場合、リード線及び配線を端子金具に接続するためには、リード線と端子金具の部分、及び配線と端子金具の部分の２箇所に半田付けをする必要が生じ、その分、半田付け作業工程が増加してしまうという問題がある。
【０００７】
また、上記の特許文献１に記載のスピーカーの接続線の接続構造において、その正極側接続線及び負極側接続線（入力）と、図示されていないリード線（出力）とをスピーカーに接続する必要がある場合には接続端子が正極側及び負極側の各々で２つずつ必要になってしまい、その分、接続端子の部品点数が増加してしまうという問題が生じ得る。
【０００８】
本発明が解決しようとする課題としては、上記のようなものが例として挙げられる。本発明は、半田付け作業工程等の削減を図ることが可能なリード線と配線を接続するための端子金具及び当該端子金具を適用したスピーカー装置を提供することを課題とする。
【課題を解決するための手段】
【０００９】
請求項１に記載の発明は、端子金具であって、リード線が接続されるリード線接続部と、配線が接続される配線接続部と、を有する接続部を備え、前記接続部において、前記リード線接続部と前記配線接続部とは相互に近接する位置に設けられていることを特徴とする。
【発明を実施するための最良の形態】
【００１０】
本発明の１つの実施形態では、端子金具は、リード線が接続されるリード線接続部と、配線が接続される配線接続部と、を有する接続部を備え、前記接続部において、前記リード線接続部と前記配線接続部とは相互に近接する位置に設けられている。
【００１１】
上記の端子金具は、リード線が接続されるリード線接続部と、配線が接続される配線接続部と、を有する接続部を備えている。ここで、リード線は、例えばスピーカー装置のボイスコイルのリード線や電子部品のリード線のように１つの導体にて形成されているものを対象とすることができると共に、配線は、導線と当該導線を被覆する被覆材とを有して構成されているもの対象とすることができる。
【００１２】
特に、この端子金具では、接続部において、リード線接続部と配線接続部とは相互に近接する位置に設けられている。これにより、リード線と配線とを相互に近接させた状態で、その両者を夫々リード線接続部及び配線接続部に絡げることができ、その両者に対して半田付け作業を同時に行うことができる。即ち、１度の半田付け作業により、リード線と配線とを導電接続することができる。よって、上記した一般的な端子金具の場合と比較して、半田付け作業工程を削減することができ、工数削減を図ることができる。
【００１３】
また、リード線と配線とを相互に近接させた状態で、その両者を夫々リード線接続部及び配線接続部に絡げるようにしているので、リード線と配線との導線接続を確実に行うことができる。つまり、リード線と配線との導線接続の確実性を向上させることができる。  上記の端子金具の一つの好適な例では、端子金具は、略Ｌ字状の形状に形成され、一端側は前記接続部であると共に、他端側は取付部に取り付けられる被取付部であり、前記接続部は、二股状に分岐した形状を有し、前記リード線及び前記配線の各々が絡げられる一対の絡げ部を有し、前記配線接続部は、前記一対の絡げ部と、前記一対の絡げ部の間に設けられ、前記配線が挿入されるスリットと、を有し、前記リード線接続部は、前記一対の絡げ部と、前記一対の絡げ部の間に且つ前記スリットに隣接する位置に設けられた他のスリットと、を有する。また、上記の端子金具の他の好適な例では、前記他のスリットは、第１のスリット及び第２のスリットを有し、前記第１のスリット及び前記第２のスリットは、前記接続部の幅方向に且つ前記スリットの両側に繋がる位置に設けられている。
【００１４】
上記の端子金具の他の態様では、前記リード線接続部は、前記接続部の幅方向の中心を通る仮想直線に対して対称的な形状を有する。これにより、例えば、プラス用とマイナス用とで端子金具の取付部の取付形状が異なるような場合でも、プラス用とマイナス用とで２種類の端子金具を用意する必要がなくなり、言い換えれば１種類の端子金具を用意するだけで、その端子金具をプラス用とマイナス用の両方に共用することが可能となる。よって、上記した特許文献１のような課題、即ち正極側（プラス用）と負極側（マイナス用）とで接続端子（本発明の端子金具に相当）を２つずつ用意する必要がなくなり、端子金具の部品点数が増加してしまうのを防止できる。
【００１５】
上記の端子金具の他の態様では、前記被取付部は、前記取付部に設けられる爪部と嵌合したときに前記取付部に対して前記被取付部の移動を規制する移動規制用スリットを有し、前記被取付部の幅方向の中心を通る他の仮想直線に対して対称的な形状を有する。
【００１６】
この態様では、被取付部は、取付部に設けられる爪部と嵌合したときに当該取付部に対して当該被取付部の移動を規制する移動規制用スリットを有するので、端子金具が取付部から離脱してしまうような外力が作用したとしても、爪部と移動規制用スリットとの相互作用により、端子金具が取付部から離脱してしまうのを防止できる。また、被取付部は、当該被取付部の幅方向の中心を通る他の仮想直線に対して対称的な形状を有するので、例えば、プラス用とマイナス用とで端子金具の取付部の取付形状が異なるような場合でも、プラス用とマイナス用とで２種類の端子金具を用意する必要がなくなり、言い換えれば１種類の端子金具を用意するだけで、その端子金具をプラス用とマイナス用の両方に共用することが可能となる。よって、上記した一般的な端子金具の場合と比較して、半田付け作業工程を削減することができ、工数削減を図ることができる。
【００１７】
本発明の他の実施形態では、上記の端子金具と、スピーカー装置用の前記取付部、前記リード線及び前記配線と、を備え、前記端子金具は前記取付部に取り付けられ、前記リード線は前記リード線接続部に電気的に接続されていると共に、前記配線は前記配線接続部に電気的に接続されている。
【００１８】
このスピーカー装置は、上記の端子金具と、スピーカー装置用の上記の取付部、上記のリード線及び上記の配線と、を備えている。ここで、リード線は、例えばコンデンサ等のネットワーク電子部品のリード線、或いは、ボイスコイルのリード線などを対称とすることができる。配線は、リード線と接続される各種の配線を対象とすることができる。そして、端子金具は当該取付部に取り付けられ、リード線はリード線接続部に半田等により電気的に接続されていると共に、配線は配線接続部に半田等により電気的に接続されている。特に、このスピーカー装置では、上記した端子金具を適用しているので、その端子金具の構造に起因して、上記した種々の作用効果を得ることができる。
【実施例】
【００１９】
以下、図面を参照して本発明の好適な実施例について説明する。
【００２０】
[端子金具の構成]
まず、図１を参照して、本発明の実施例に係る配線及びリード線を接続するための端子金具の構成について説明する。なお、リード線は、例えばスピーカー装置のボイスコイルのリード線や電子部品のリード線のように１つの導体にて形成されているものを対象とすることができると共に、配線は、導線と当該導線を被覆する被覆材とを有して構成されているもの対象とすることができる。
【００２１】
図１（ａ）は、本発明の実施例に係る端子金具７０の構成を示す一側面図である。図１（ｂ）は、図１（ａ）の矢印Ｙ２１方向から見た端子金具７０の構成を示す他の側面図である。図１（ｃ）は、図１（ａ）の矢印Ｙ２０方向から見た端子金具７０の構成を示す正面図である。
【００２２】
端子金具７０は、略Ｌ字状の形状に形成され、その一端側に１つのリード線９１が接続されるリード線接続部、及び、１つの配線９０が接続される配線接続部を有する接続部７１を有すると共に、その他端側に、図２に示す取付部９５に取り付けられる被取付部７２を有する。
【００２３】
接続部７１は、二股状に分岐した形状を有し、リード線９１及び配線９０の各々が絡げられる一対の絡げ部７１ａ及び７１ｂを有する。配線接続部は、一対の絡げ部７１ａ及び７１ｂと、当該一対の絡げ部７１ａ及び７１ｂの間に設けられ、配線９０が挿入されるスリット７１ｃと、を有して構成される。スリット７１ｃは、略円形断面を有する配線９０の形状に対応した形状に形成されている。一方、リード線接続部は、一対の絡げ部７１ａ及び７１ｂと、当該一対の絡げ部７１ａ及び７１ｂの間に且つスリット７１ｃに隣接する位置に設けられた他のスリット７１ｄと、を有して構成される。他のスリット７１ｄは、第１のスリット７１ｄａ及び第２のスリット７１ｄｂを更に有する。リード線接続部は、接続部７１の幅方向の中心を通る仮想直線Ｌ２１に対して対称的な形状（鏡面対称形状）を有する。このため、第１のスリット７１ｄａと第２のスリット７１ｄｂとは仮想直線Ｌ２１に対して対称的な形状を有する。以上の構成を有する接続部７１では、リード線接続部と配線接続部とは相互に近接する位置に設けられている。
【００２４】
被取付部７２は、図２に示す取付部９５に設けられる爪部９５ｂと嵌合したときに取付部９５に対して被取付部７２の移動を規制する移動規制用スリット７２ａ及び７２ｂを有し、被取付部７２の幅方向の中心を通る他の仮想直線Ｌ２０に対して対称的な形状（鏡面対称形状）を有する。このため、移動規制用スリット７２ａと移動規制用スリット７２ｂとは他の仮想直線Ｌ２０に対して対称的な形状を有する。なお、本例では、移動規制用スリット７２ａ及び７２ｂは、被取付部７２の一部を矩形状に切り欠いた形状に形成されているが、これに限らず、本発明では、被取付部７２の中央部に、爪部９５ｂと嵌合したときに取付部９５に対して被取付部７２の移動を規制する移動規制用の開口を形成するようにしても構わない。
【００２５】
次に、上記の構成を有する端子金具７０に対して、配線９０及びリード線９１を接続する方法について述べる。
【００２６】
図１（ｂ）の接続部７１に着目して理解されるように、まず、配線９０をスリット７１ｃに挿入しつつ配線接続部に絡げる共に、リード線９１を第１のスリット７１ｄａ及び第２のスリット７１ｄｂのいずれか一方のスリットに挿入しつつリード線接続部に絡げる。そして、配線接続部に絡げられた配線９０と、リード線接続部に絡げられたリード線９１とを半田（破線領域Ｅ３０の部分）を介して導電接続する。これにより、配線９０とリード線９１とが半田及び端子金具７０を介して電気的に接続される。
【００２７】
[端子金具の取付部への取り付け]
次に、図２を参照して、上記した構成を有する端子金具７０を取付部へ取り付けるための方法等について説明する。
【００２８】
図２（ａ）は、本実施例に係る端子金具７０を取付部９５へ取り付けた状態を示す一側面図である。図２（ｂ）は、図２（ａ）の矢印Ｙ２２方向から見たときの、端子金具７０が取付部９５に取り付けられた状態を示す正面図である。図２（ｃ）は、図２（ａ）の切断線Ｘ１−Ｘ２に沿った端子金具７０及び取付部９５を含む概略切断面図である。
【００２９】
まず、端子金具７０が取り付けられる取付部９５の構成について簡単に説明する。
【００３０】
取付部９５は、端子金具７０の被取付部７２が挿入される挿入孔９５ａと、端子金具７０の移動規制用スリット７２ａ又は７２ｂと嵌合して、端子金具７０の移動を規制する役割を有する爪部９５ｂと、を有する。
【００３１】
以上の構成を有する取付部９５に対して、端子金具７０を取り付けるためには次のようにして行う。
【００３２】
図２を参照して理解されるように、まず、端子金具７０を取付部９５の存在する矢印Ｙ２２方向に移動させて、端子金具７０の被取付部７２を取付部９５の挿入孔９５ａに挿入し、さらに、その状態から端子金具７０を取付部９５側へ押し込むことにより、取付部９５の爪部９５ｂを被取付部７２の移動規制用スリット７２ａ又は７２ｂに嵌合させる。これにより、端子金具７０が取付部９５に固定（ロック）される。かかる構造により、万が一、端子金具７０に対して、図２（ａ）の矢印Ｙ２２方向と逆方向に取付部９５から離脱してしまうような外力が作用した場合でも、図２（ｃ）を参照して分かるように、取付部９５の爪部９５ｂと移動規制用スリット７２ａ又は７２ｂとの相互作用により、取付部９５の爪部９５ｂが移動規制用スリット７２ａ又は７２ｂの下側に位置する被取付部７２の部分に引っ掛かり、端子金具７０が取付部９５から離脱してしまうのを防止できる。
【００３３】
なお、端子金具７０に対する配線９０及びリード線９１の接続方法は上記した方法により行うが、本発明では、端子金具７０に対する配線９０及びリード線９１の接続と、端子金具７０の取付部９５への取り付けとの順序はどちらが先であっても構わない。
【００３４】
以上のようにして端子金具７０が取付部９５へ取り付けられた状態が図２（ａ）乃至図２（ｃ）に示されている。
【００３５】
次に、比較例と比較した、本発明の実施例に係る配線及びリード線を接続するための端子金具の特有の作用効果について説明する。
【００３６】
まず、図３を参照して、比較例に係る配線及びリード線を接続するための端子金具の構成について説明する。なお、比較例において、本実施例と共通する要素については同一の符号を付し、その説明は省略又は簡略化する。
【００３７】
図３は、比較例に係る配線及びリード線を接続するための端子金具の構成を示す斜視図である。
【００３８】
比較例に係る端子金具１２０は、略Ｌ字状の形状を有し、その一端側１２１にリード線９１を挿入して端子金具１２０の部分に絡げるためのリード線絡げ用のスリット１２１ａが形成されている一方、その他端側１２２に配線９０の端末部分９０ａを挿入して端子金具１２０の部分に絡げるための配線絡げ用のスリット１２２ａが形成されている。
【００３９】
このような構造を有する端子金具１２０に対して、リード線９１及び配線９０を導電接続するためには、リード線９１をリード線絡げ用のスリット１２１ａに挿入して端子金具１２０の部分に絡げ、その箇所Ｅ３１を半田付けすると共に、配線９０の端末部分９０ａを配線絡げ用のスリット１２２ａに挿入して端子金具１２０の部分に、その箇所Ｅ３２を半田付けする。これにより、リード線９１と配線９０とを半田及び端子金具１２０を介して導電接続することができる。
【００４０】
しかしながら、比較例の場合において、リード線９１及び配線９０を端子金具１２０に接続するためには、リード線９１と端子金具１２０の部分、及び配線９０と端子金具１２０の部分の２箇所（破線領域Ｅ３１及びＥ３２の箇所）に半田付けをする必要が生じ、その分、半田付け作業工程が増加してしまうという問題がある。
【００４１】
この点、本発明の実施例に係る端子金具７０は、リード線９１が接続されるリード線接続部と、配線９０が接続される配線接続部と、を有する接続部７１を備え、接続部７１において、リード線接続部と配線接続部とは相互に近接する位置に設けられている。
【００４２】
好適な例では、配線接続部は、接続部７１の要素である一対の絡げ部７１ａ及び７１ｂと、一対の絡げ部７１ａ及び７１ｂの間に設けられ、配線９０が挿入されるスリット７１ｃと、を有して構成されるのが好ましい一方、リード線接続部は、一対の絡げ部７１ａ及び７１ｂと、一対の絡げ部７１ａ及び７１ｂの間に且つスリット７１ｃに隣接する位置に設けられた他のスリット７１ｄと、を有して構成されるのが好ましい。
【００４３】
これにより、リード線９１と配線９０とを相互に近接させた状態で、その両者を夫々リード線接続部及び配線接続部に絡げることができ、その両者に対して半田付け作業を同時に行うことができる。即ち、１度の半田付け作業により、リード線９１と配線９０とを導電接続することができる。よって、比較例に比較して、半田付け作業工程を削減することができ、工数削減を図ることができる。
【００４４】
また、リード線９１と配線９０とを相互に近接させた状態で、その両者を夫々リード線接続部及び配線接続部に絡げるようにしているので、リード線９１と配線９０との導線接続を確実に行うことができる。つまり、リード線９１と配線９０との導線接続の確実性を向上させることができる。
【００４５】
また、リード線接続部は、接続部７１の幅方向の中心を通る仮想直線Ｌ２１に対して対称的な形状を有している。また、被取付部７２は、取付部９５に設けられる爪部９５ｂと嵌合したときに取付部９５に対して被取付部７２の移動を規制する移動規制用スリット７２ａ及び７２ｂを有し、被取付部７２の幅方向の中心を通る他の仮想直線Ｌ２０に対して対称的な形状を有している。つまり、これらの構成により、端子金具７０は、その幅方向の中心を通る仮想中心線に対して対称的な形状を有していることになる。
【００４６】
よって、例えば、プラス用とマイナス用とで端子金具の取付部の取付形状が異なるような場合でも、プラス用とマイナス用とで２種類の端子金具を用意する必要がなくなり、言い換えれば１種類の端子金具７０を用意するだけで、その端子金具７０をプラス用とマイナス用の両方に共用することが可能となる。よって、上記した特許文献１のような課題、即ち正極側（プラス用）と負極側（マイナス用）とで接続端子（本発明の端子金具に相当）を２つずつ用意する必要がなくなり、端子金具の部品点数が増加してしまうのを防止できる。
【００４７】
この点について補足説明する。図２（ａ）に示すように、取付部９５には、２つの端子金具７０の取り付け位置に対応して２つの爪部９５ｂが設けられ、その２つの爪部９５ｂは取付部９５において左右逆の位置に存在している。しかし、その一方の爪部９５ｂ（紙面左側の爪部９５ｂ）は、２つの端子金具７０のうち一方の端子金具７０の移動規制用スリット７２ａに嵌合していると共に、他方の爪部９５ｂ（紙面右側の爪部９５ｂ）は、他方の端子金具７０の移動規制用スリット７２ｂに嵌合している。つまり、このように、取付部９５における、２つの爪部９５ｂの設定位置が左右で逆になっているような場合でも、上記の構成を採用することにより、１種類の端子金具７０を用意するだけで、２つの爪部９５ｂの各々と、対応する移動規制用スリット７２ａ及び７２ｂとを嵌合（共用）させることできる。また、図２（ｂ）に示すように、２つの端子金具７０において、リード線接続部へのリード線９１の絡げ方向が左右逆になるような場合でも、上記の構成を採用することにより、１種類の端子金具７０を用意するだけで、リード線９１の絡げ方向の違いに関わらず当該リード９１をリード線接続部へ確実に絡げる（共用する）ことができる。
【００４８】
[端子金具のスピーカー装置への適用例]
次に、上記した配線及びリード線を接続するための端子金具を、スピーカー装置１００のコンデンサ固定部１１ｃへ適用した一例について説明する。以下では、まず、スピーカー装置１００の構成について説明し、その後、端子金具のコンデンサ固定部１１ｃｃへの適用例について説明する。
【００４９】
なお、本明細書において、プラス用端子金具１４ｃ及びマイナス用端子金具１４ｄは、上記した本実施例に係る端子金具７０に相当する。このため、以下では、プラス用端子金具１４ｃ及びマイナス用端子金具１４ｄにおいて、端子金具７０の構成要素と同一の要素については同一の符号を付し、その説明は省略する。
【００５０】
図４は、本発明の実施例に係る配線及びリード線を接続するための端子金具を含むスピーカー装置１００を、その中心軸Ｌ１を通る平面で切断したときの断面図を示す。図５は、図４に示されるスピーカー装置１００を、放音側と逆側から観察したときの当該スピーカー装置１００の背面側の斜視図を示す。
【００５１】
スピーカー装置１００は、図４に示すように、ヨーク１、マグネット２及び異型プレート３を含む磁気回路３０と、フレーム４、ボイスコイルボビン５、ボイスコイル６、ダンパー７、振動板８、エッジ９及びキャップ１０を含む振動系部材３１と、その他の構成部材と、を有するスピーカーユニット８０と、スピーカーユニット８０に取り付けられるスピーカー装置用ブラケット１１と、を備えて構成される。
【００５２】
ここで、その他の構成部材としては、パッキン１６及び１７、クッション部材１８、プラス用端子金具２２及びマイナス用端子金具２３が取り付けられた端子基板２１を有するスピーカー装置用端子２０、アンプ側の出力配線と接続されたコネクタ端子（図示略）等と接続されるスピーカー装置用のコネクタ端子１３、図示しないプラス及びマイナスの各端子を有するコンデンサ（ネットワーク電子部品）１４、コンデンサ接続用のプラス用端子金具１４ｃ及びマイナス用端子金具１４ｄ、並びに、雄ねじ１５及び１９などが挙げられる。
【００５３】
まず、スピーカーユニット８０の構成について説明する。なお、本発明では、スピーカーユニット８０の構成や駆動方式に限定はない。
【００５４】
磁気回路３０の構成は次の通りである。
【００５５】
本磁気回路３０は、外磁型の磁気回路として構成されている。
【００５６】
ヨーク１は、略円柱状の形状をなすポール部１ａと、そのポール部１ａの外周壁の下端部から外側に且つ斜め上方に延在するように形成されたフランジ部１ｂと、を有する。ポール部１ａには、雄ねじ１５と嵌合する雌ねじ（ねじ孔）１ａｂが形成されている。
【００５７】
マグネット２は、略環状の形状をなし、フランジ部１ｂ上に取り付けられている。マグネット２上には異型プレート３が取り付けられている。異型プレート３は、環状のプレートに対して異型の形状を有する。本例では、異型プレート３の外形形状は、円形形状に複数の半円形状を結合させた形状を有し、スピーカーユニット８０の周方向（図５の矢印Ｙ１０方向）に対するスピーカー装置用ブラケット１１の位置出しを行う役割を有する。また、異型プレート３の上面には、当該異型プレート３に対してフレーム４をカシメて固定する役割を有する円柱状の突起部３ａが設けられている。異型プレート３の内周壁とポール部１ａの外周壁との間隙には、マグネット２の磁束が集中する磁気ギャップ３２が形成されている。
【００５８】
次に、振動系部材３１の構成は次の通りである。
【００５９】
フレーム４は、様々なスピーカー装置用構成部材を支持する機能を有する。フレーム４は、略椀状の形状及び階段状の断面形状をなし、その下端側に設けられた第１段部４ａと、当該第１段部４ａの上側に且つ外側に設けられた第２段部４ｂと、当該第２段部４ｂの上側に且つ外側に設けられた第３段部４ｃと、を有している。第１段部４ａには、異型プレート３の突起部３ａと嵌合する開口４ａｂが設けられている。第３段部４ｃには、雄ねじ１９を挿通するための開口４ｃａが設けられている。フレーム４は、その要素である開口４ａｂ内に突起部３ａが挿入され、第１段部４ａと異型プレート３とが接触した状態で異型プレート３上に取り付けられている。
【００６０】
ボイスコイルボビン５は、略円筒状の形状をなしている。ボイスコイルボビン５の下端部付近は、ヨーク１のポール部１ａの上端部付近を覆っている。これにより、ボイスコイルボビン５の内周壁の下端部付近は、ポール部１ａの外周壁の上端部付近と対向している一方、ボイスコイルボビン５の外周壁の下端部付近は、異型プレート３の内周壁及びマグネット２の内周壁の一部と夫々対向している。
【００６１】
ボイスコイル６は、ボイスコイルボビン５の外周壁の下端部付近に巻かれており、ボイスコイル６の外周壁は異型プレート３の内周壁と対向している。ボイスコイル６は、１つの配線からなり、図示しないプラス及びマイナスのリード線を夫々有している。プラス側のリード線はＬ（又はＲ）チャンネル信号の入力配線であり、マイナス側のリード線はグランド（ＧＮＤ：接地）信号の入力配線である。プラス及びマイナスの各リード線は、それぞれ、プラスの錦糸線４２及びマイナスの錦糸線４３に半田（図５のハッチング部分、以下同様）を通じて夫々電気的に接続されていると共に、プラスの錦糸線４２及びマイナスの錦糸線４３は、それぞれ、フレーム４の第１段部４ａ付近に設けられたスピーカー装置用端子２０の端子基板２１に取り付けられたプラス用端子金具２２及びマイナス用端子金具２３に半田を通じて電気的に接続されている。プラス用端子用金具２２は、半田及び配線を通じてコネクタ端子１３及びコンデンサ１４のプラス端子（プラス側リード線１４ａ、図７を参照）と接続されたプラス用端子金具１４ｃに電気的に接続されている一方、マイナス用端子金具２３は、半田及び配線を通じてコネクタ端子１３に電気的に接続されている。また、コンデンサ接続用のマイナス用端子金具１４ｄは、半田及び配線を通じてコネクタ端子１３及びコンデンサ１４のマイナス端子（マイナス側リード線１４ｂ、図７を参照）に電気的に接続されている。これにより、ボイスコイル６には、コンデンサ１４等を介してアンプ側から１チャンネル分の信号及び電力（音声電流）が入力される。
【００６２】
ダンパー７は、略環状の形状をなしている。ダンパー７の外周部は、フレーム４の第１段部４ａに取り付けられている一方、ダンパー７の内周縁部は、ボイスコイルボビン５の外周壁の上端部付近に取り付けられている。これにより、ダンパー７は、ボイスコイルボビン５等を弾性的に支持する役割を有する。
【００６３】
振動板８は、コーン状の形状を有し、入力信号に応じた音波を放射する機能を有する。振動板８の内周縁部は、ボイスコイルボビン５の外周壁の上端部に取り付けられている。振動板８の外周縁部には、略Ω状の断面形状を有し、ゴムなどの材料により形成されたエッジ９が取り付けられている。エッジ９の外周縁部は、環状の形状を有し、樹脂材料等よりなるパッキン１６を介してフレーム４の第３段部４ｃ上に取り付けられている。
【００６４】
キャップ１０は、ドーム状の形状をなし、その外周端部付近は、放音側となる振動板８の内周部の放音面上に取り付けられている。このため、キャップ１０は、放音側から水分や異物などが磁気回路３０側に侵入するのを防止する役割を果たす。
【００６５】
パッキン１７は、略環状の形状を有し、樹脂材料等により形成されている。パッキン１７は、フレーム４の第３段部４ｃに設けられた開口４ｃａに対応する位置に雌ねじ（ねじ孔）１７ａを有する。雄ねじ１９は、フレーム４の第３段部４ｃの背面側から開口４ｃａに挿通されてパッキン１７の雌ねじ１７ａと嵌合しており、これにより、パッキン１７はフレーム４の第３段部４ｃ上に取り付けられている。
【００６６】
クッション部材１８は、棒状の形状をなし、環状の形状に変形された状態でパッキン１７上に取り付けられている。
【００６７】
次に、スピーカー装置用ブラケット１１の構成について、図４乃至図６を参照して説明する。
【００６８】
図６（ａ）は、図４の矢印Ｙ１方向と逆側から観察したスピーカー装置用ブラケット１１の正面図を示す。図６（ｂ）は、図４の矢印Ｙ１方向から観察したスピーカー装置用ブラケット１１の背面図を示す。
【００６９】
スピーカー装置用ブラケット１１は、樹脂材料等により形成され、スピーカーユニット８０の周方向（図５の矢印Ｙ１０方向）に対するスピーカー装置用ブラケット１１の位置出しを行う役割を有する位置出部１１ａと、位置出部１１ａの中心を跨ぐように設けられ、且つ相互に対向する側の位置出部１１ａの部分と繋がる形状に形成されると共にヨーク１の一部を覆う形状に形成され、ヨーク１に固定されるヨーク固定部１１ｂと、位置出部１１ａの外側に設けられ、コンデンサ１４を固定するコンデンサ固定部１１ｃと、位置出部１１ａの外側に設けられ、コネクタ端子１３を固定するコネクタ端子固定部１１ｄと、コンデンサ固定部１１ｃとコネクタ端子固定部１１ｄとの間に設けられ、スピーカー装置１００の各種配線を固定する配線固定部１１ｅ（破線にて囲まれる部分）と、を備えて構成される。ここで、スピーカー装置１００の各種配線としては、コンデンサ１４、スピーカー装置用端子２０及びコネクタ端子１３の各々と電気的に接続される配線などが挙げられる。
【００７０】
位置出部１１ａは、略環状の形状をなし、その内側部分１１ａｂの形状は異型プレート３の外形と嵌合する形状に形成されている。即ち、位置出部１１ａの内側部分１１ａｂの形状は、円形形状に複数の半円形状を結合させた形状をくり貫いた形状を有する。つまり、位置出部１１ａの内側部分１１ａｂは、異型プレート３のオフセットラインとなっている。
【００７１】
ヨーク固定部１１ｂの中央には、雄ねじ１５を挿通するための挿通孔１１ｂａが設けられている。ヨーク固定部１１ｂは、放音側と逆側に位置するヨーク１の背面の一部を覆う位置に配置される。そして、ヨーク固定部１１ｂは、その背面側から挿通孔１１ｂａに雄ねじ１５が挿通され、その雄ねじ１５がヨーク１の雌ねじ１ａｂと嵌合することによりヨーク１に取り付けられる。これにより、スピーカー装置用ブラケット１１を、放音側と逆側に位置するヨーク１の背面側に取り付けることができる。
【００７２】
コンデンサ固定部１１ｃは、コンデンサ１４を支持するコンデンサ支持部１１ｃａと、
アーチ状の形状を有し、コンデンサ１４を挿入する側に且つコンデンサ支持部の一端側の近傍位置に設けられ、コンデンサ１４の浮き上がりを防止して当該コンデンサ１４の位置を規制するコンデンサ位置規制部１１ｃｂと、コンデンサ１４を挿入する側と逆側に且つコンデンサ支持部の他端側の近傍位置に設けられ、コンデンサ接続用のプラス用端子金具１４ｃ及びマイナス用端子金具１４ｄが挿入される挿入孔１１ｃｄを有し、プラス用端子金具１４ｃ及びマイナス用端子金具１４ｄが取り付けられるコンデンサ接続用端子取付部１１ｃｃと、プラス端子用金具１４ｃとマイナス端子用金具１４ｄとの間に設けられ、その両端子用金具を隔てる形状に形成され、当該両端子用金具同士の短絡を防止する短絡防止用リブ１１ｃｅと、を有する。
【００７３】
ここで、コンデンサ接続用端子取付部１１ｃｃは、挿入孔１１ｃｄ及び短絡防止用リブ１１ｃｅの近傍位置において、プラス用端子金具１４ｃの移動規制用スリット７２ａ（図７を参照）又はマイナス用端子金具１４ｄの移動規制用スリット７２ｂ（図７を参照）と嵌合する爪状の形状を有する爪部１１ｃｆを有する。また、プラス端子用金具１４ｃ及びマイナス端子用金具１４ｄは、それぞれ、対応する挿入孔１１ｃｄに挿入された状態でコンデンサ接続用端子取付部１１ｃｃに取り付けられている。
【００７４】
コンデンサ１４は、図４及び図５に示すように、円柱状の形状を有し、コンデンサ支持部１１ｃａに支持されていると共に、コンデンサ位置規制部１１ｃｂにより放音側と逆側への浮き上がりが阻止された状態でコンデンサ固定部１１ｃに位置規制された状態により固定されている。コンデンサ１４のプラス側リード線１４ａ及びマイナス側リード線１４ｂは、図７に示すように、それぞれ、コンデンサ接続用のプラス用端子金具１４ｃ及びマイナス用端子金具１４ｄに半田９３を介して接続されている。プラス用端子金具１４ｃと、マイナス用端子金具１４ｄの間には、隔壁部材としての短絡防止用リブ１１ｃｅが設けられ、その両端子金具同士の短絡防止が図られている。なお、本例に示される、コンデンサ１４を固定するコンデンサ固定部１１ｃの構造は一例であり、本発明では、コンデンサ１４を固定するコンデンサ固定部１１ｃの固定構造は周知の各種の構造を採用することが可能である。また、本発明では、スピーカー装置用ブラケット１１に対するコンデンサ固定部１１ｃの設定位置に限定はなく、スピーカー装置１００の仕様等に応じて、コンデンサ固定部１１ｃを、スピーカー装置用ブラケット１１の適切な位置、例えばスペースを取れる位置へ自由に設定することが可能である。
【００７５】
コネクタ端子固定部１１ｄは、コネクタ端子１３を挟持する形状を有し、コネクタ端子１３の一側面と接触する第１支持部１１ｄａと、第１支持部１１ｄａと一定の間隔をおいて対向するように設けられた第２支持部１１ｄｃと、第１支持部１１ｄａ及び第２支持部１１ｄｃの各一端側に設けられ、その両者を繋ぐ第３支持部１１ｄｂと、第３支持部１１ｄｂと対向する位置に且つ第１支持部１１ｄａの他端側に設けられた第４支持部１１ｄｄと、を有する。コネクタ端子１３は、図４及び図５に示すように、略角型の形状を有し、第１支持部１１ｄａと、第２支持部１１ｄｃと、第３支持部１１ｄｂと、第４支持部１１ｄｄとにより挟持された状態でコネクタ端子固定部１１ｄに固定されている。なお、本例に示される、コネクタ端子１３を固定するコネクタ端子固定部１１ｄの構造は一例であり、本発明では、コネクタ端子１３を固定するコネクタ端子固定部１１ｄの固定構造は周知の各種の構造を採用することが可能である。また、本発明では、スピーカー装置用ブラケット１１に対するコネクタ端子固定部１１ｄの設定位置に限定はなく、スピーカー装置１００の仕様等に応じて、コネクタ端子固定部１１ｄを、スピーカー装置用ブラケット１１の適切な位置、例えばスペースを取れる位置へ自由に設定することが可能である。
【００７６】
配線固定部１１ｅは、放音側と逆側の位置出部１１ａの所定位置から突出するように設けられ、上記したスピーカー装置１００の各種配線を挟持する複数の挟持部１１ｅａを有する。本例では、配線固定部１１ｅは、コンデンサ固定部１１ｃ及びコネクタ端子固定部１１ｄの各々の近傍位置に設けられている。また、配線固定部１１ｅは、スピーカー装置用ブラケット１１をスピーカーユニット８０へ取り付けたときに、スピーカー装置用端子２０の近傍に対応する位置に設けられている。そして、当該各種配線は、図５に示すように、配線固定部１１ｅに沿って引き回され、その要素である挟持部１１ｅａに挟持された状態で固定されている。
【００７７】
以上の構成を有するスピーカー装置用ブラケット１１は、スピーカーユニット８０において、コネクタ端子１３及びコンデンサ１４を保持した状態で、放音側と逆側に位置する磁気回路３０の少なくとも一部（ヨーク１を含む）を覆う位置に取り付けられている。
【００７８】
次に、図７を参照して、端子金具のコンデンサ固定部１１ｃへの適用例について説明する。
【００７９】
図７（ａ）乃至図７（ｃ）は、図５のコンデンサ固定部１１ｃ付近を拡大して示す図面である。具体的には、図７（ａ）は、本発明の実施例に係るプラス用端子金具１４ｃ（端子金具７０に相当）及びマイナス用端子金具１４ｄ（端子金具７０に相当）をコンデンサ接続用端子取付部１１ｃｃに取り付けた状態を示す一側面図である。図７（ｂ）は、図７（ａ）の矢印Ｙ２４方向から見たときの、プラス用端子金具１４ｃ及びマイナス用端子金具１４ｄがコンデンサ接続用端子取付部１１ｃｃに取り付けられた状態を示す正面図である。図７（ｃ）は、図７（ａ）の切断線Ｘ３−Ｘ４に沿ったプラス用端子金具１４ｃ及びマイナス用端子金具１４ｄ並びにコンデンサ固定部１１ｃを含む概略切断面図である。
【００８０】
プラス用端子金具１４ｃ及びマイナス用端子金具１４ｄをコンデンサ接続用端子取付部１１ｃｃに取り付けるためには次のようにして行う。
【００８１】
図７を参照して理解されるように、まず、プラス用端子金具１４ｃ及びマイナス用端子金具１４ｄをコンデンサ接続用端子取付部１１ｃｃの存在する矢印Ｙ２４方向に移動させて、プラス用端子金具１４ｃ及びマイナス用端子金具１４ｄの被取付部７２をコンデンサ接続用端子取付部１１ｃｃの挿入孔１１ｃｄに挿入し、さらに、その状態からプラス用端子金具１４ｃ及びマイナス用端子金具１４ｄをコンデンサ接続用端子取付部１１ｃｃ側へ押し込むことにより、コンデンサ接続用端子取付部１１ｃｃの爪部１１ｃｆを被取付部７２の移動規制用スリット７２ａ又は７２ｂに嵌合させる。これにより、プラス用端子金具１４ｃ及びマイナス用端子金具１４ｄがコンデンサ接続用端子取付部１１ｃｃに固定（ロック）される。かかる構造により、万が一、プラス用端子金具１４ｃ及びマイナス用端子金具１４ｄに対して、図７（ａ）の矢印Ｙ２４方向と逆方向にコンデンサ接続用端子取付部１１ｃｃから離脱してしまうような外力が作用した場合でも、図７（ｃ）を参照して分かるように、コンデンサ接続用端子取付部１１ｃｃの爪部９５ｂと移動規制用スリット７２ａ又は７２ｂとの相互作用により、コンデンサ接続用端子取付部１１ｃｃの爪部１１ｃｆが移動規制用スリット７２ａ又は７２ｂの下側に位置する被取付部７２の部分に引っ掛かり、プラス用端子金具１４ｃ及びマイナス用端子金具１４ｄがコンデンサ接続用端子取付部１１ｃｃから離脱してしまうのを防止できる。以上のようにしてプラス用端子金具１４ｃ及びマイナス用端子金具１４ｄがコンデンサ接続用端子取付部１１ｃｃへ取り付けられた状態が図７（ａ）乃至図７（ｃ）に示されている。
【００８２】
なお、本実施例において、コンデンサ１４のプラス側リード線１４ａ及びマイナス側リード線１４ｂ、並びに、上記したプラス用端子金具１４ｃ及びマイナス用端子金具１４ｄの各々に接続される配線（上記した配線９０に相当）と、プラス用端子金具１４ｃ及びマイナス用端子金具１４ｄとの接続構造は、上記したリード線９１及び配線９０と端子金具７０との接続構造と同様であり、その説明は省略する。
【００８３】
以上の構成によれば、スピーカー装置１００において、上記した本発明の作用効果を得ることができる。
【００８４】
なお、本発明では、上記した構成を有する配線及びリード線を接続するための端子金具は、スピーカー装置１００のコンデンサ接続用端子取付部１１ｃｃのみならず、スピーカー装置用端子２０への適用も可能である。即ち、本発明の端子金具は、スピーカー装置において、リード線と配線とを接続する必要がある部位に対して全て適用可能である。
【００８５】
[変形例]
本発明では、スリット７１ｃと他のスリット７１ｄとの位置関係は上記の実施例に限定されず、例えば、本発明では、その趣旨を前提としつつ、図８に示すように、他のスリット７１ｄにおける第１のスリット７１ｄａ及び第２のスリット７１ｄｂは、接続部７１の幅方向に且つスリット７１ｃの両側に繋がる位置に設けるようにしても構わない。かかる構成においても、上記した本発明の作用効果を得ることができる。
【００８６】
その他、本発明では、その趣旨を逸脱しない範囲において、種々の変形をすることが可能である。
【図面の簡単な説明】
【００８７】
【図１】本発明の実施例に係るリード線及び配線を接続するための端子金具の構成を示す各種側面図及び正面図を示す。
【図２】本実施例に係る端子金具の取付部への取り付け状態を示す各種側面図及び正面図を示す。
【図３】比較例に係るリード線及び配線を接続するための端子金具の構成を示す斜視図を示す。
【図４】本実施例に係るリード線及び配線を接続するための端子金具を有するスピーカー装置の断面図を示す。
【図５】本実施例に係るリード線及び配線を接続するための端子金具を有するスピーカー装置を背面側から観察した斜視図を示す。
【図６】本実施例に係る端子金具が取り付けられるコンデンサ接続用端子取付部を有するスピーカー装置用ブラケットの正面図及び背面図を示す。
【図７】本実施例に係る端子金具をコンデンサ接続用端子取付部へ取り付けた状態を示す各種側面図及び正面図を示す。
【図８】変形例に係るリード線及び配線を接続するための端子金具の構成を示す正面図を示す。
【符号の説明】
【００８８】
１１  スピーカー装置用ブラケット
１１ｃ  コンデンサ固定部
１１ｃｃ  コンデンサ接続用端子取付部
１１ｃｄ  挿入孔
１１ｃｆ  爪部
１４  コンデンサ
１４ａ  プラス側リード線
１４ｂ  マイナス側リード線
１４ｃ  プラス用端子金具
１４ｄ  マイナス用端子金具
７０  端子金具
７１  接続部
７１ａ、７１ｂ  絡げ部
７１ｃ  スリット
７１ｄ  他のスリット
７１ｄａ  第１のスリット
７１ｄｂ  第２のスリット
７２  被取付部
７２ａ、７２ｂ  移動規制用スリット
８０  スピーカーユニット
９０  配線
９１  リード線
９３  半田
９５  取付部
９５ａ  挿入孔
９５ｂ  爪部
１００  スピーカー装置
【図１】
2008016276.tif 000003
【図２】
2008016276.tif 000004
【図３】
2008016276.tif 000005
【図４】
2008016276.tif 000006
【図５】
2008016276.tif 000007
【図６】
2008016276.tif 000008
【図７】
2008016276.tif 000009
【図８】
2008016276.tif 000010